(57)【要約】【課題】従来のアンカーナット固定工具の叩き棒は、受撃時に先端部が横ブレしてその起因により、先端部が変形してしまう問題があった。【解決手段】叩き棒の貫挿孔を有するガイドピンの外周面に座を螺合し、該螺合量により座の上下の位置を調整し、更にガイドピンの下端の雄ネジにアンカーナット上の雌ネジ筒を締結し、該締結した状態でアンカーナットを下穴内へ挿入し上記座の座面を下穴開口面に座着せしめて、上記叩き棒を叩くことにより上記アンカーナットに内填せるくさび体を押し込みアンカーナットの割筒部を拡開し、下穴の壁面に喰いつかせ固定させるアンカーナット固定工具の叩き棒を、受撃軸とアンカーナットの雌ネジ筒の内径より小さく且つ上記ガイドピンの下端貫挿孔径より大きい外径のヘッドを下端に形成した当接軸とを同軸線上に連設する構成にした。【選択図】    図１
2006291676.tif 000002
【特許請求の範囲】
【請求項１】
叩き棒の貫挿孔を有する叩き棒挿入ガイドピンの外周面に座を螺合し、該螺合量により座の上下の位置を調整する構成を有し、更に叩き棒挿入ガイドピンの下端に設けた雄ネジ外周面にアンカーナット上端の雌ネジ筒を螺合締結し、該締結した状態でアンカーナットを下穴内へ挿入し、該挿入により上記座の座面を下穴開口面に座着せしめてアンカーナットの挿入深さを設定し、上記貫挿孔に貫挿した叩き棒を叩くことにより上記アンカーナットに内填せるくさび体を押し込んでアンカーナットの割筒部を拡開し、壁の下穴の内壁面に喰いつかせ固定させる構成としたアンカーナット固定工具の叩き棒において、上記アンカーナットの雌ネジ筒の内径より小さく且つ上記叩き棒挿入ガイドピンの下端貫挿孔径より大きい外径のヘッドを形成したアンカーナット内の上記くさび体に当接する当接ピンと、打撃を受ける叩き棒の受撃部とを連結した構成を特徴とした叩き棒である。
【請求項２】
受撃棒に、叩き棒挿入ガイドピンからの脱落防止の為のピンを有している請求項１記載の叩き棒。
【発明の詳細な説明】
【技術分野】
【０００１】  本発明は、土木、建設等において荷重支持のアンカーナットを固定するときに使用するアンカーナット固定工具に関する。
【背景技術】
【０００２】  従来のアンカーナット固定工具には、叩き棒の受撃部とアンカーナット当接部が一体で形成されたものがある。（例えば、特許文献１参照）。
【特許文献１】特開２００４−２５１０８０
【発明の開示】
【発明が解決しようとする課題】
【０００３】  上記に述べた特許文献１のアンカーナット固定工具では、叩き棒下端の直径がアンカーナットの雌ネジ筒の内径に対し極端に細く、下端部側面と雌ネジ筒内面との隙間が大きいため、該叩き棒を打撃すると叩き棒の下端部がアンカーナットに内填せるくさび体に当った時、アンカーナットの筒内で横ブレし、下端部が曲がる問題を有し、拠って上記くさび体を所定の距離押し込むことを困難にした。
【課題を解決するための手段】
【０００４】  本発明は、上記の問題点を解決する叩き棒を提供する。叩き棒の貫挿孔を有する叩き棒挿入ガイドピンの外周面に座を螺合し、該螺合量により座の上下の位置を調整する構成を有し、更に叩き棒挿入ガイドピンの下端に設けた雄ネジ外周面にアンカーナット上端の雌ネジ筒を螺合締結し、該締結した状態でアンカーナットを下穴内へ挿入し、該挿入により上記座の座面を下穴開口面に座着せしめてアンカーナットの挿入深さを設定し、上記貫挿孔に貫挿した叩き棒を叩くことにより上記アンカーナットに内填せるくさび体を押し込んでアンカーナットの割筒部を拡開し、壁の下穴の内壁面に喰いつかせ固定させる構成としたアンカーナット固定工具の叩き棒において、上記アンカーナットの雌ネジ筒の内径より小さく且つ上記叩き棒挿入ガイドピンの下端貫挿孔径より大きい外径のヘッドを形成したアンカーナット内の上記くさび体に当接する当接ピンと、打撃を受ける叩き棒の受撃部とを連結したものである。
【発明の効果】
【０００５】  本発明の叩き棒によれば、上記当接ピン下端のヘッドの外径がアンカーナットの雌ネジ筒の内径に近い大きさに形成するため、ヘッドの外側面と雌ネジ筒の内面との間の隙間が小さくなり、従って横ブレが生じない。拠って、横ブレによる当接ピンの先端が曲がることがなくなる。よって、アンカーナット内填のくさび体を所定の距離押し込むことを確実にする。
【発明を実施するための最良の形態】
【０００６】  本発明の実施の形態を、図１に基づいて説明する。図１は、本発明の叩き棒１を装着したアンカーナット固定工具全体の断面図である。【０００７】  図１に示すアンカーナット固定工具は、細長い叩き棒挿入ガイドピン５を本体とし、該ガイドピン５の軸芯上に貫設せる叩き棒の貫挿孔１６を有する。【０００８】  また、該叩き棒挿入ガイドピン５の外周面の座螺合雄ネジ６に座１３を螺合し、該螺合量により座１３の上下の位置を調整する構成を有し、更に叩き棒挿入ガイドピン５の下端に設けた雄ネジ７はアンカーナット８の雌ネジ１２と螺合し、また上記貫挿孔１６に貫挿する叩き棒１を有するものである。【０００９】  図１に示す叩き棒１は、受撃棒３の下端に袋孔を形成し、該袋孔に当接ピン２の上端部を挿入し連結して止めネジ７で固定するもので、叩き棒挿入ガイドピン５との装着方法は受撃棒３を叩き棒挿入ガイドピン５の上方より貫挿孔１６に挿入し、当接ピンは該叩き棒挿入ガイドピンの下端の貫挿孔１６より挿入し、該受撃棒３と当接ピン２を連結し止めネジ７で固定する。【００１０】  また、上記連結方法は、上記方法以外に、受撃棒３の下端に雌ネジを螺設し、当接ピン２の上端に雄ネジを螺設し、該受撃棒３に当接ピン２を螺合締結する方法でもよい。（図示なし）【００１１】  当接ピン２は、叩き棒挿入ガイドピン５の下端の貫挿孔１６の直径より大きく且つ、アンカーナットの雌ネジ筒９の内径より小さい外径のヘッド４を形成している。【００１２】  従来からあるアンカーナット８は、該アンカーナット８の一端側筒部の内周面に雌ネジ１２を形成し、他端側は割筒部１１になっており、割筒部１１の内周面にはテーパーを形成し、くさび体１０をこの筒部１１内に装填しており、くさび体１０が叩かれ進むことにより割筒部１１を拡開せしめ下穴１５内壁に喰いつかせ固定させるものである。【００１３】  まず、叩き棒挿入ガイドピン５の下端の雄ネジ７にアンカーナット８を螺合締結する。【００１４】  下穴１５を穿設した取り付け対象物１８が壁１４の表面に既に置かれている場合、ドリル等を該下穴１５に通し、壁１４にアンカーナットの長さより十分深く壁に下穴１９を掘り、必要に応じ該壁下穴１９の中に残った削り破片を除去する。【００１５】  次に叩き棒挿入ガイドピン５の下端の雄ネジ７にアンカーナット８の雌ネジ１２を螺合締結する。【００１６】  次に、上記アンカーナットを取り付け対象物１８の下穴１５と同芯に連通せる壁下穴１９に挿入して、座１３を下穴開口表面に座着せしめる。【００１７】  そして、叩き棒１の上端を叩く。その衝撃による当接ピン２先端部の横ブレは、ヘッド４の外側面とアンカーナット８の雌ネジ筒９の内壁面と隙間が小さいため防がれ、横ブレに起因する当接ピン２先端の曲がり変形が生ぜず、拠って、アンカーナット８の中のくさび体５が叩き棒１の当接ピン２のヘッド４により所定の距離押し込まれアンカーナット８の割筒部１１を拡開し、壁の下穴１９の内壁に割筒部１１が喰いつき固定する。【００１８】  固定した後、アンカーナット固定工具の雄ネジ７とアンカーナットの雌ネジ１２の締結を解除分離した後は、取り付け対象物１８が壁１４に所定の位置に置かれたままの状態となり、ボルト���固定する（図示なし）。
【図面の簡単な説明】
【００１９】
【図１】  本発明の叩き棒１を装着したアンカーナット固定工具全体の断面図である。
【符号の説明】
【００２０】１−叩き棒
２−当接ピン
３−受撃棒
４−ヘッド
５−叩き棒挿入ガイドピン
６−座螺合雄ネジ
７−アンカーナット螺合雄ネジ
８−アンカーナット
９−雌ネジ筒
１０−くさび体
１１−割筒部
１２−雌ネジ
１３−座
１４−アンカーナットを固定する壁
１５−取り付け対象物の下穴
１６−貫挿孔
１７−止めネジ
１８−取り付け対象物
【図１】
2006291676.tif 000003
【手続補正書】
【提出日】平成17年6月20日(2005.6.20)
【手続補正１】
【補正対象書類名】特許請求の範囲
【補正方法】変更
【補正の内容】
叩き棒の貫挿孔を有する叩き棒挿入ガイドピンの外周面に座を螺合し、該螺合量により座の上下の位置を調整する構成を有し、更に叩き棒挿入ガイドピンの下端に設けた雄ネジ外周面にアンカーナット上端の雌ネジ筒を螺合締結し、該締結した状態でアンカーナットを下穴内へ挿入し、該挿入により上記座の座面を下穴開口面に座着せしめてアンカーナットの挿入深さを設定し、上記貫挿孔に貫挿した叩き棒を叩くことにより上記アンカーナットに内填せるくさび体を押し込んでアンカーナットの割筒部を拡開し、壁の下穴の内壁面に喰いつかせ固定させる構成としたアンカーナット固定工具の叩き棒において、受撃軸と上記アンカーナットの雌ネジ筒の内径より小さく且つ上記叩き棒挿入ガイドピンの下端貫挿孔の径より大きいヘッドを下端に形成した当接軸とを同軸線上に連設した構成を特徴としたアンカーナット固定叩き棒。
【手続補正２】
【補正対象書類名】明細書
【補正対象項目名】０００３
【補正方法】変更
【補正の内容】
【０００３】上記に述べた特許文献１のアンカーナット固定工具は、叩き棒下端軸部の外周面とアンカーナットの雌ネジ筒部内面との隙間が大きいため、該叩き棒下端軸部が上記アンカーナット内のくさび体を叩く衝撃で横ブレし、該叩き棒下端軸部が変形し上記くさび体を所定の距離押し込むことが不確実であった。
【手続補正３】
【補正対象書類名】明細書
【補正対象項目名】０００４
【補正方法】変更
【補正の内容】
【０００４】本発明は、上記の問題点を解決する叩き棒を提供する。叩き棒の貫挿孔を有する叩き棒挿入ガイドピンの外周面に座を螺合し、該螺合量により座の上下の位置を調整する構成を有し、更に叩き棒挿入ガイドピンの下端に設けた雄ネジ外周面にアンカーナット上端の雌ネジ筒を螺合締結し、該締結した状態でアンカーナットを下穴内へ挿入し、該挿入により上記座の座面を下穴開口面に座着せしめてアンカーナットの挿入深さを設定し、上記貫挿孔に貫挿した叩き棒を叩くことにより上記アンカーナットに内填せるくさび体を押し込んでアンカーナットの割筒部を拡開し、壁の下穴の内壁面に喰いつかせ固定させる構成としたアンカーナット固定工具の叩き棒において、受撃軸と上記アンカーナットの雌ネジ筒の内径より小さく且つ上記叩き棒挿入ガイドピンの下端貫挿孔の径より大きいヘッドを下端に形成した当接軸とを同軸線上に連設したものである。
【手続補正４】
【補正対象書類名】明細書
【補正対象項目名】０００５
【補正方法】変更
【補正の内容】
【０００５】本発明の叩き棒によれば、上記当接軸下端のヘッドの外周面とアンカーナットの雌ネジ筒の内周面との間の隙間が小さいため横ブレが生じ難くなり、該当接軸の先端が曲がることがなくなる。よって、上記アンカーナット内填のくさび体を確実に所定の距離押し込む。
【手続補正５】
【補正対象書類名】明細書
【補正対象項目名】０００６
【補正方法】変更
【補正の内容】
【０００６】本発明の実施の形態を、図１に基づいて説明する。図１は、本発明のアンカーナット固定叩き棒を装着したアンカーナット固定工具の全体の断面図である。
【手続補正６】
【補正対象書類名】明細書
【補正対象項目名】０００８
【補正方法】変更
【補正の内容】
【０００８】上記叩き棒挿入ガイドピン５の外周面の座螺合雄ネジ６に座１３を螺合し、該螺合量により座１３の上下の位置を調整する構成を有し、更に叩き棒挿入ガイドピン５の下端に設けた雄ネジ７はアンカーナット８の雌ネジ１２と螺合し、また上記貫挿孔１６の下端貫挿孔１６ａに当接軸２を貫通している。
【手続補正７】
【補正対象書類名】明細書
【補正対象項目名】０００９
【補正方法】変更
【補正の内容】
【０００９】図１に示す叩き棒３は、受撃軸１の下端より軸線方向に袋孔２０を穿設し、該袋孔２０に当接軸２の上端部を挿入し連結して止めネジ１７で固定している。尚、叩き棒挿入ガイドピンの側面に該止めネジ１７を軸線方向に通す穴を有す。
【手続補正８】
【補正対象書類名】明細書
【補正対象項目名】００１０
【補正方法】変更
【補正の内容】
【００１０】また、上記連結方法は、上記方法以外に、受撃軸１の下端に雌ネジを螺設し、当接軸２の上端に雄ネジを螺設し、該受撃軸１に当接軸２を螺合締結する方法でもよい。（図示なし）
【手続補正９】
【補正対象書類名】明細書
【補正対象項目名】００１１
【補正方法】変更
【補正の内容】
【００１１】当接軸２は、上記受撃軸１の袋孔２０に挿入可能の当接軸本体２と該当接軸２の下端に、上記叩き棒挿入ガイドピン５の下端貫挿孔１６ａの直径より大きく且つ、アンカーナットの雌ネジ筒９の内径より小さいヘッド４を形成している。
【手続補正１０】
【補正対象書類名】明細書
【補正対象項目名】００１４
【補正方法】変更
【補正の内容】
【００１４】下穴１５を穿設した取り付け対象物１４が壁１８の表面に既に置かれている場合、ドリル等を該下穴１５に通し、壁１８にアンカーナットの長さより十分深く壁に下穴１９を掘り、必要に応じ該壁下穴１９の中に残った削り破片を除去する。
【手続補正１１】
【補正対象書類名】明細書
【補正対象項目名】００１６
【補正方法】変更
【補正の内容】
【００１６】次に、上記アンカーナットを取り付け対象物１４の下穴１５と同芯に連通せる壁下穴１９に挿入して、座１３を下穴開口表面に座着せしめる。
【手続補正１２】
【補正対象書類名】明細書
【補正対象項目名】００１７
【補正方法】変更
【補正の内容】
【００１７】そして、受撃軸１の上端を叩く。その衝撃による当接軸２先端部の横ブレは、ヘッド４の外周面とアンカーナット８の雌ネジ筒９の内周面と隙間が小さいため防止され、横ブレに起因する当接軸２先端の曲がり変形が生ぜず、拠って、アンカーナット８の中のくさび体５が叩き棒３の当接軸２のヘッド４により所定の距離押し込まれアンカーナット８の割筒部１１を拡開し、壁の下穴１９の内壁に割筒部１１が喰いつき固定する。
【手続補正１３】
【補正対象書類名】明細書
【補正対象項目名】００１８
【補正方法】変更
【補正の内容】
【００１８】固定した後、アンカーナット固定工具の雄ネジ７とアンカーナットの雌ネジ１２の締結を解除分離した後は、取り付け対象物１４が壁１８に所定の位置に置かれたままの状態となり、ボルトで固定する（図示なし）。
【手続補正１４】
【補正対象書類名】明細書
【補正対象項目名】００２０
【補正方法】変更
【補正の内容】
【００２０】１―叩き棒                                    １２―雌ネジ
２―当接軸                                    １３―座
３―受撃軸１４―取り付け対象物
４―ヘッド                                    １５―取り付け対象物の下穴
５―叩き棒挿入ガイドピン                      １６―貫挿孔
６―座螺合雄ネジ１６ａ―下端貫挿孔
７―アンカーナット螺合雄ネジ                  １７―止めネジ
８―アンカーナット１８―壁
９―雌ネジ筒                                  １９―壁下穴
１０―くさび体２０―袋孔
１１―割筒部
【手続補正１５】
【補正対象書類名】図面
【補正対象項目名】図１
【補正方法】変更
【補正の内容】
【図１】
2006291676.tif 000004
【手続補正書】
【提出日】平成17年8月17日(2005.8.17)
【手続補正１】
【補正対象書類名】手続補正書
【補正対象項目名】手続補正１
【補正方法】変更
【補正の内容】
【手続補正１】
【補正対象書類名】特許請求の範囲
【補正対象項目名】請求項１
【補正方法】変更
【補正の内容】
【請求項１】
叩き棒の貫挿孔を有する叩き棒挿入ガイドピンの外周面に座を螺合し、該螺合量により座の上下の位置を調整する構成を有し、更に叩き棒挿入ガイドピンの下端に設けた雄ネジ外周面にアンカーナット上端の雌ネジ筒を螺合締結し、該締結した状態でアンカーナットを下穴内へ挿入し、該挿入により上記座の座面を下穴開口面に座着せしめてアンカーナットの挿入深さを設定し、上記貫挿孔に貫挿した叩き棒を叩くことにより上記アンカーナットに内填せるくさび体を押し込んでアンカーナットの割筒部を拡開し、壁の下穴の内壁面に喰いつかせ固定させる構成としたアンカーナット固定工具の叩き棒において、受撃軸と上記アンカーナットの雌ネジ筒の内径より小さく且つ上記叩き棒挿入ガイドピンの下端貫挿孔の径より大きいヘッドを下端に形成した当該軸とを同軸線上に連設した構成を特徴としたアンカーナット固定叩き棒。